【手続補正書】
【提出日】令和3年6月22日(2021.6.22)
【手続補正１】
【補正対象書類名】特許請求の範囲
【補正対象項目名】全文
【補正方法】変更
【補正の内容】
【特許請求の範囲】
【請求項１】
会話との関連でコンテンツを推奨する方法であって、前記方法は、
ユーザ機器を用いて、複数のユーザ間の口頭会話を監視することと、
前記口頭会話が継続しているとき、前記口頭会話における言葉を処理し、前記口頭会話における前記言葉からキーワードを選択的に読み出すことと、
前記選択的に読み出されたキーワードに基づいて、ウェイクワードを受信することなく、前記口頭会話における前記キーワードを検出することと、
前記キーワードのうちの１つに合致するクリップに関して、複数のクリップを検索することであって、前記複数のクリップを検索することは、
前記複数のクリップの各々に関連付けられたメタデータを前記検出されたキーワードと比較することと、
前記比較することに基づいて、前記クリップのうちの別のものに関連付けられたメタデータより多くの前記キーワードに合致するメタデータを有する前記複数のクリップのうちのクリップを選択することと
による、ことと、
前記ウェイクワードを受信することなく、前記口頭会話中に前記クリップを前記ユーザに自動的に提示することと
を含む、方法。
【請求項２】
前記検出されたキーワードに関連付けられたコンテンツタイプを識別することと、
前記識別されたコンテンツタイプに基づいて、検索すべきコンテンツソースを選択することと
をさらに含む、請求項１に記載の方法。
【請求項３】
口頭会話処理ウィンドウを生成することと、
前記ウィンドウの開始時間に先立って検出された言葉が破棄されるように、前記会話処理ウィンドウ内で検出される前記口頭会話における言葉を一時的に記憶することと
をさらに含む、請求項１−２のいずれか１項に記載の方法。
【請求項４】
聴取モードをアクティブにすることをさらに含み、前記監視することは、前記聴取モードがアクティブであるときに実施され、前記聴取モードが無効にされているとき、実施されない、請求項１−３のいずれか１項に記載の方法。
【請求項５】
前記複数のクリップの各々は、閾値持続時間未満である、請求項１−４のいずれか１項に記載の方法。
【請求項６】
前記キーワードは、メディアアセットにおけるセグメントに関連しており、前記複数のクリップの各々は、前記メディアアセットの場面におけるコンテンツを表す、請求項１−５のいずれか１項に記載の方法。
【請求項７】
前記セグメントは、スポーツイベントにおけるプレーを特徴とする前記メディアアセットの場面または一部である、請求項１−６のいずれか１項に記載の方法。
【請求項８】
前記口頭会話中に前記コンテンツを前記ユーザに自動的に提示することは、前記ユーザ機器上で現在提示されているコンテンツを変更し、前記クリップを提示することを含む、請求項１−７のいずれか１項に記載の方法。
【請求項９】
前記会話における前記キーワードを検出することに応答して、前記クリップが選択されたという指示を伴う前記クリップと共に前記検出されたキーワードのうちのいくつかを提示することをさらに含む、請求項１−８のいずれか１項に記載の方法。
【請求項１０】
キーワードを選択的に読み出すことは、前記複数のユーザの各々のユーザプロファイルに合致する前記口頭会話における言葉を識別することを含む、請求項１−９のいずれか１項に記載の方法。
【手続補正２】
【補正対象書類名】明細書
【補正対象項目名】００１２
【補正方法】変更
【補正の内容】
【００１２】
いくつかの実施形態において、メディアガイドアプリケーションは、複数のユーザの各々のユーザプロファイルに合致する口頭会話における言葉を識別することによって、キーワードを選択的に読み出す。ユーザのプロファイルは、例えば、ユーザ選好（例えば、お気に入りの番組、お気に入りのジャンル、お気に入りの女優）、ユーザの視聴履歴、ユーザのメディア消費に関連付けられた共通キーワード、個人情報、会話に関連性があり得る他のユーザの名前、またはユーザについての他の情報等の情報を含み得る。例えば、メディアガイドアプリケーションは、「Ｊａｍｉｅ」および「Ｊｏｎ」等の会話における言葉を識別し、ユーザのプロファイルのうちの１つにアクセスし、Ｇａｍｅ  ｏｆ  Ｔｈｒｏｎｅｓ（ＧＯＴ）をお気に入りの番組として識別し得る。故に、メディアガイドアプリケーションは、「Ｊａｍｉｅ」および「Ｊｏｎ」をＧＯＴの中の登場人物として認識し、「Ｇａｍｅ  ｏｆ  Ｔｈｒｏｎｅｓ」をキーワードに追加するか、または、Ｇａｍｅ  ｏｆ  Ｔｈｒｏｎｅｓクリップの中からキーワードを検索し得る。
本願明細書は、例えば、以下の項目も提供する。
（項目１）
会話との関連でコンテンツを推奨する方法であって、前記方法は、
ユーザ機器を用いて、複数のユーザ間の会話を監視することと、
ウェイクワードを受信することなく、前記会話におけるキーワードを検出することと、
前記キーワードのうちの１つに合致するコンテンツを検索することと、
前記ウェイクワードを受信することなく、前記コンテンツを前記ユーザに自動的に提示することと
を含む、方法。
（項目２）
会話との関連でコンテンツを推奨する方法であって、前記方法は、
ユーザ機器を用いて、複数のユーザ間の口頭会話を監視することと、
前記口頭会話が継続しているとき、前記口頭会話における言葉を処理し、前記口頭会話における前記言葉からキーワードを選択的に読み出すことと、
前記選択的に読み出されたキーワードに基づいて、ウェイクワードを受信することなく、前記口頭会話における前記キーワードを検出することと、
前記キーワードのうちの１つに合致するクリップに関して、複数のクリップを検索することであって、前記複数のクリップを検索することは、
前記複数のクリップの各々に関連付けられたメタデータを前記検出されたキーワードと比較することと、
前記比較することに基づいて、前記クリップのうちの別のものに関連付けられたメタデータより多くの前記キーワードに合致するメタデータを有する前記複数のクリップのうちのクリップを選択することと
による、ことと、
前記ウェイクワードを受信することなく、前記口頭会話中に前記クリップを前記ユーザに自動的に提示することと
を含む、方法。
（項目３）
前記検出されたキーワードに関連付けられたコンテンツタイプを識別することと、
前記識別されたコンテンツタイプに基づいて、検索すべきコンテンツソースを選択することと
をさらに含む、項目２に記載の方法。
（項目４）
口頭会話処理ウィンドウを生成することと、
前記ウィンドウの開始時間に先立って検出された言葉が破棄されるように、前記会話処理ウィンドウ内で検出される前記口頭会話における言葉を一時的に記憶することと
をさらに含む、項目２に記載の方法。
（項目５）
聴取モードをアクティブにすることをさらに含み、前記監視することは、前記聴取モードがアクティブであるときに実施され、前記聴取モードが無効にされているとき、実施されない、項目２に記載の方法。
（項目６）
前記複数のクリップの各々は、閾値持続時間未満である、項目２に記載の方法。
（項目７）
前記キーワードは、メディアアセットにおけるセグメントに関連しており、前記複数のクリップの各々は、前記メディアアセットの場面におけるコンテンツを表す、項目２に記載の方法。
（項目８）
前記セグメントは、スポーツイベントにおけるプレーを特徴とする前記メディアアセットの場面または一部である、項目７に記載の方法。
（項目９）
前記口頭会話中に前記コンテンツを前記ユーザに自動的に提示することは、前記ユーザ機器上で現在提示されているコンテンツを変更し、前記クリップを提示することを含む、項目２に記載の方法。
（項目１０）
前記会話における前記キーワードを検出することに応答して、前記クリップが選択されたという指示を伴う前記クリップと共に前記検出されたキーワードのうちのいくつかを提示することをさらに含む、項目２に記載の方法。
（項目１１）
キーワードを選択的に読み出すことは、前記複数のユーザの各々のユーザプロファイルに合致する前記口頭会話における言葉を識別することを含む、項目２に記載の方法。
（項目１２）
会話との関連でコンテンツを推奨するためのシステムであって、前記方法は、
複数のユーザ間の口頭会話を監視するように構成された聴取デバイスと、
制御回路と
を備え、
前記制御回路は、
前記口頭会話が継続しているとき、前記口頭会話における言葉を処理し、前記口頭会話における前記言葉からキーワードを選択的に読み出すことと、
前記選択的に読み出されたキーワードに基づいて、ウェイクワードを受信することなく、前記口頭会話における前記キーワードを検出することと、
前記キーワードのうちの１つに合致するクリップに関して、複数のクリップを検索することであって、前記複数のクリップを検索することは、
前記複数のクリップの各々に関連付けられたメタデータを前記検出されたキーワードと比較することと、
前記比較することに基づいて、前記クリップのうちの別のものに関連付けられたメタデータより多くの前記キーワードに合致するメタデータを有する前記複数のクリップのうちのクリップを選択することと
による、ことと、
前記ウェイクワードを受信することなく、前記口頭会話中に前記クリップを前記ユーザに自動的に提示することと
を行うように構成されている、システム。
（項目１３）
前記制御回路は、
前記検出されたキーワードに関連付けられたコンテンツタイプを識別することと、
前記識別されたコンテンツタイプに基づいて、検索すべきコンテンツソースを選択することと
を行うようにさらに構成されている、項目１２に記載のシステム。
（項目１４）
前記制御回路は、
口頭会話処理ウィンドウを生成することと、
前記ウィンドウの開始時間に先立って検出された言葉が破棄されるように、前記会話処理ウィンドウ内で検出される前記口頭会話における言葉を一時的に記憶することと
を行うようにさらに構成されている、項目１２に記載のシステム。
（項目１５）
前記制御回路は、聴取モードをアクティブにするようにさらに構成され、前記制御回路は、前記聴取モードがアクティブであるとき、前記複数のユーザ間の前記口頭会話を監視し、前記聴取モードが無効にされているとき、前記複数のユーザ間の前記口頭会話を監視しないようにさらに構成されている、項目１２に記載のシステム。
（項目１６）
前記複数のクリップの各々は、閾値持続時間未満である、項目１２に記載のシステム。
（項目１７）
前記キーワードは、メディアアセットにおけるセグメントに関連しており、前記複数のクリップの各々は、前記メディアアセットの場面におけるコンテンツを表す、項目１２に記載のシステム。
（項目１８）
前記セグメントは、スポーツイベントにおけるプレーを特徴とする前記メディアアセットの場面または一部である、項目１７に記載のシステム。
（項目１９）
前記制御回路は、前記ユーザ機器上で現在提示されているコンテンツを変更し、前記クリップを提示するようにさらに構成されている、項目１２に記載のシステム。
（項目２０）
前記制御回路は、前記会話における前記キーワードを検出することに応答して、前記クリップが選択されたという指示を伴う前記クリップと共に前記検出されたキーワードのうちのいくつかを提示するようにさらに構成されている、項目１２に記載のシステム。
（項目２１）
前記制御回路は、前記複数のユーザの各々のユーザプロファイルに合致する前記口頭会話における言葉を識別するようにさらに構成されている、項目１２に記載のシステム。
（項目２２）
会話との関連でコンテンツを推奨するための非一過性のコンピュータ読み取り可能な命令を備えている非一過性のコンピュータ読み取り可能な媒体であって、前記非一過性のコンピュータ読み取り可能な命令は、
ユーザ機器を用いて、複数のユーザ間の口頭会話を監視するための命令と、
前記口頭会話が継続しているとき、前記口頭会話における言葉を処理し、前記口頭会話における前記言葉からキーワードを選択的に読み出すための命令と、
前記選択的に読み出されたキーワードに基づいて、ウェイクワードを受信することなく、前記口頭会話における前記キーワードを検出するための命令と、
前記キーワードのうちの１つに合致するクリップに関して、複数のクリップを検索するための命令であって、前記複数のクリップを検索することは、
前記複数のクリップの各々に関連付けられたメタデータを前記検出されたキーワードと比較することと、
前記比較することに基づいて、前記クリップのうちの別のものに関連付けられたメタデータより多くの前記キーワードに合致するメタデータを有する前記複数のクリップのうちのクリップを選択することと
による、命令と、
前記ウェイクワードを受信することなく、前記口頭会話中に前記クリップを前記ユーザに自動的に提示するための命令と
を備えている、非一過性のコンピュータ読み取り可能な媒体。
（項目２３）
前記検出されたキーワードに関連付けられたコンテンツタイプを識別するための命令と、
前記識別されたコンテンツタイプに基づいて、検索すべきコンテンツソースを選択するための命令と
をさらに備えている、項目２２に記載の非一過性のコンピュータ読み取り可能な媒体。
（項目２４）
口頭会話処理ウィンドウを生成するための命令と、
前記ウィンドウの開始時間に先立って検出された言葉が破棄されるように、前記会話処理ウィンドウ内で検出される前記口頭会話における言葉を一時的に記憶するための命令と
をさらに備えている、項目２２に記載の非一過性のコンピュータ読み取り可能な媒体。
（項目２５）
聴取モードをアクティブにするための命令をさらに備え、前記監視することは、前記聴取モードがアクティブであるときに実施され、前記聴取モードが無効にされているとき、実施されない、項目２２に記載の非一過性のコンピュータ読み取り可能な媒体。
（項目２６）
前記複数のクリップの各々は、閾値持続時間未満である、項目２２に記載の非一過性のコンピュータ読み取り可能な媒体。
（項目２７）
前記キーワードは、メディアアセットにおけるセグメントに関連しており、前記複数のクリップの各々は、前記メディアアセットの場面におけるコンテンツを表す、項目２２に記載の非一過性のコンピュータ読み取り可能な媒体。
（項目２８）
前記セグメントは、スポーツイベントにおけるプレーを特徴とする前記メディアアセットの場面または一部である、項目２７に記載の非一過性のコンピュータ読み取り可能な媒体。
（項目２９）
前記口頭会話中に前記コンテンツを前記ユーザに自動的に提示するための前記命令は、前記ユーザ機器上で現在提示されているコンテンツを変更し、前記クリップを提示するための命令を備えている、項目２２に記載の非一過性のコンピュータ読み取り可能な媒体。
（項目３０）
前記会話における前記キーワードを検出することに応答して、前記クリップが選択されたという指示を伴う前記クリップと共に前記検出されたキーワードのうちのいくつかを提示するための命令をさらに備えている、項目２２に記載の非一過性のコンピュータ読み取り可能な媒体。
（項目３１）
キーワードを選択的に読み出すための前記命令は、前記複数のユーザの各々のユーザプロファイルに合致する前記口頭会話における言葉を識別するための命令を備えている、項目２２に記載の非一過性のコンピュータ読み取り可能な媒体。
（項目３２）
会話との関連でコンテンツを推奨するための装置であって、前記装置は、
ユーザ機器を用いて、複数のユーザ間の口頭会話を監視する手段と、
前記口頭会話が継続しているとき、前記口頭会話における言葉を処理し、前記口頭会話における前記言葉からキーワードを選択的に読み出す手段と、
前記選択的に読み出されたキーワードに基づいて、ウェイクワードを受信することなく、前記口頭会話における前記キーワードを検出する手段と、
前記キーワードのうちの１つに合致するクリップに関して、複数のクリップを検索する手段であって、前記複数のクリップを検索することは、
前記複数のクリップの各々に関連付けられたメタデータを前記検出されたキーワードと比較することと、
前記比較することに基づいて、前記クリップのうちの別のものに関連付けられたメタデータより多くの前記キーワードに合致するメタデータを有する前記複数のクリップのうちのクリップを選択することと、
による、手段と、
前記ウェイクワードを受信することなく、前記口頭会話中に前記クリップを前記ユーザに自動的に提示する手段と
を備えている、装置。
（項目３３）
前記検出されたキーワードに関連付けられたコンテンツタイプを識別する手段と、
前記識別されたコンテンツタイプに基づいて、検索すべきコンテンツソースを選択する手段と
をさらに備えている、項目３２に記載の装置。
（項目３４）
口頭会話処理ウィンドウを生成する手段と、
前記ウィンドウの開始時間に先立って検出された言葉が破棄されるように、前記会話処理ウィンドウ内で検出される前記口頭会話における言葉を一時的に記憶する手段と
をさらに備えている、項目３２に記載の装置。
（項目３５）
聴取モードをアクティブにする手段をさらに備え、前記監視することは、前記聴取モードがアクティブであるときに実施され、前記聴取モードが無効にされているとき、実施されない、項目３２に記載の装置。
（項目３６）
前記複数のクリップの各々は、閾値持続時間未満である、項目３２に記載の装置。
（項目３７）
前記キーワードは、メディアアセットにおけるセグメントに関連しており、前記複数のクリップの各々は、前記メディアアセットの場面におけるコンテンツを表す、項目３２に記載の装置。
（項目３８）
前記セグメントは、スポーツイベントにおけるプレーを特徴とする前記メディアアセットの場面または一部である、項目３７に記載の装置。
（項目３９）
前記ユーザ機器上で現在提示されているコンテンツを変更し、前記クリップを提示する手段をさらに備えている、項目３２に記載の装置。
（項目４０）
前記会話における前記キーワードを検出することに応答して、前記クリップが選択されたという指示を伴う前記クリップと共に前記検出されたキーワードのうちのいくつかを提示する手段をさらに備えている、項目３２に記載の装置。
（項目４１）
前記複数のユーザの各々のユーザプロファイルに合致する前記口頭会話における言葉を識別する手段をさらに備えている、項目３２に記載の装置。
（項目４２）
会話との関連でコンテンツを推奨する方法であって、前記方法は、
ユーザ機器を用いて、複数のユーザ間の口頭会話を監視することと、
前記口頭会話が継続しているとき、前記口頭会話における言葉を処理し、前記口頭会話における前記言葉からキーワードを選択的に読み出すことと、
前記選択的に読み出されたキーワードに基づいて、ウェイクワードを受信することなく、前記口頭会話における前記キーワードを検出することと、
前記キーワードのうちの１つに合致するクリップに関して、複数のクリップを検索することであって、前記複数のクリップを検索することは、
前記複数のクリップの各々に関連付けられたメタデータを前記検出されたキーワードと比較することと、
前記比較することに基づいて、前記クリップのうちの別のものに関連付けられたメタデータより多くの前記キーワードに合致するメタデータを有する前記複数のクリップのうちのクリップを選択することと
による、ことと、
前記ウェイクワードを受信することなく、前記口頭会話中に前記クリップを前記ユーザに自動的に提示することと
を含む、方法。
（項目４３）
前記検出されたキーワードに関連付けられたコンテンツタイプを識別することと、
前記識別されたコンテンツタイプに基づいて、検索すべきコンテンツソースを選択することと
をさらに含む、項目４２に記載の方法。
（項目４４）
口頭会話処理ウィンドウを生成することと、
前記ウィンドウの開始時間に先立って検出された言葉が破棄されるように、前記会話処理ウィンドウ内で検出される前記口頭会話における言葉を一時的に記憶することと
をさらに含む、項目４２−４３のいずれか１項に記載の方法。
（項目４５）
聴取モードをアクティブにすることをさらに含み、前記監視することは、前記聴取モードがアクティブであるときに実施され、前記聴取モードが無効にされているとき、実施されない、項目４２−４４のいずれか１項に記載の方法。
（項目４６）
前記複数のクリップの各々は、閾値持続時間未満である、項目４２−４５に記載の方法。
（項目４７）
前記キーワードは、メディアアセットにおけるセグメントに関連しており、前記複数のクリップの各々は、前記メディアアセットの場面におけるコンテンツを表す、項目４２−４６のいずれか１項に記載の方法。
（項目４８）
前記セグメントは、スポーツイベントにおけるプレーを特徴とする前記メディアアセットの場面または一部である、項目４２−４７のいずれか１項に記載の方法。
（項目４９）
前記口頭会話中に前記コンテンツを前記ユーザに自動的に提示することは、前記ユーザ機器上で現在提示されているコンテンツを変更し、前記クリップを提示することを含む、項目４２−４８のいずれか１項に記載の方法。
（項目５０）
前記会話における前記キーワードを検出することに応答して、前記クリップが選択されたという指示を伴う前記クリップと共に前記検出されたキーワードのうちのいくつかを提示することをさらに含む、項目４２−４９のいずれか１項に記載の方法。
（項目５１）
キーワードを選択的に読み出すことは、前記複数のユーザの各々のユーザプロファイルに合致する前記口頭会話における言葉を識別することを含む、項目４２−５０のいずれか１項に記載の方法。